(57)【特許請求の範囲】
【請求項１】
一対の電極と、前記一対の電極間にかける印加電圧に応じて反射率が変更される表示層と、光照射によって前記表示層の反射率を変化させる電圧調整が可能な光導電層と、を備えた光書き込み型表示媒体を位置決めする位置決め手段と、
前記位置決め手段による位置決め状態で、前記表示層が一様の反射率となる初期化を行うために、前記一対の電極間へ初期化交番電圧を印加すると共に、前記光導電層に対して初期化光を照射する表示層初期化手段と、
前記表示層初期化手段による初期化交番電圧の印加並びに光照射により前記表示層が一様の反射率となった後に、前記光導電層に対して前記一対の電極間に所定の正極電圧を印加した状態で画像情報に応じた光照射を行って画像を書き込む光書き込み手段と、
前記表示層記初期化手段による初期化交番電圧の内、正極電圧印加時のみ光照射を実行し、負極電圧印加時は光照射を実行しない光照射制限手段と、
を有する光書き込み型画像形成装置。
【請求項２】
前記一対の電極には、第１に前記初期化交番電圧の正極電圧が印加され、第２に前記初期化交番電圧の負極電圧が印加され、第３に光書き込み手段による光照射時に一対の電極に印加される正極電圧が印加されることを特徴とする請求項１記載の光書き込み型画像形成装置。
【請求項３】
一対の電極と、前記一対の電極間にかける印加電圧に応じて反射率が変更される表示層と、光照射によって前記表示層の反射率を変化させる電圧調整が可能な光導電層と、を備えた光書き込み型表示媒体を対象として、前記表示層が一様の反射率となる初期化を行うために、前記一対の電極間へ初期化交番電圧を印加すると共に、前記光導電層に対して初期化光を照射する表示層初期化手段と、
前記表示層初期化手段による初期化交番電圧の印加並びに光照射により前記表示層が一様の反射率となった後に、前記光導電層に対して前記一対の電極間に所定の正極電圧を印加した状態で画像情報に応じた光照射を行って画像を書き込む光書き込み手段と、
前記表示層記初期化手段による初期化交番電圧の内、正極電圧印加時のみ光照射を実行し、負極電圧印加時は光照射を実行しない光照射制限手段と、
を有する光書き込み型画像形成装置用制御装置。
【請求項４】
前記一対の電極には、第１に前記初期化交番電圧の正極電圧が印加され、第２に前記初期化交番電圧の負極電圧が印加され、第３に光書き込み手段による光照射時に一対の電極に印加される正極電圧が印加されることを特徴とする請求項３記載の光書き込み型画像形成装置用制御装置。
【請求項５】
一対の電極と、前記一対の電極間にかける印加電圧に応じて反射率が変更される表示層と、光照射によって前記表示層の反射率を変化させる電圧調整が可能な光導電層と、を備えた光書き込み型表示媒体を対象として、
前記表示層が一様の反射率となる初期化を行うために、前記一対の電極間へ初期化交番電圧を印加すると共に、前記初期化交番電圧の内、正極電圧印加時のみ光照射を実行し、負極電圧印加時は光照射を実行しない光照射制限手段を有する光書き込み型表示媒体初期化制御装置。
【発明の詳細な説明】
【技術分野】
【０００１】
本発明は、光書き込み型画像形成装置、光書き込み型画像形成装置用制御装置、光書き込み型表示媒体初期化制御装置に関するものである。
【背景技術】
【０００２】
特許文献１には、有機光導電体層と液晶層とを重ねた液晶デバイスが開示されている。特許文献１では、第１のステップで液晶層をプレーナ相にし、第２のステップで光で書き込みを行うようになっており、有機光導電体層には、電化輸送層を挟むように上電荷発生層（上ＣＧＬ）と下電荷発生層（下ＣＧＬ）の二層構造が開示されている。
【０００３】
また、特許文献２には、交流電界により駆動され、透明電極層の上に、電荷発生層、電荷輸送層、電荷発生層を順に重ねた光スイッチグ素子が開示されている。この特許文献２では、光導電素子と表示機能素子とが一体化されたデバイスとなっている。
【０００４】
さらに、特許文献３には、電荷発生層を有する有機感光層と、コレステリック液晶層とを組み合わせた光記録素子において、記録パルスの前後に補助パルスを印加することが開示されている。この特許文献３では、補助パルスは記録パルスに対して逆極性であり、振幅の絶対値が小さい。この補助パルスの目的は、第１に記録パルスと逆極性の前パルスを印加することで、残存電荷を中和し、電荷発生効率を向上させる、第２に記録パルスと逆極性の後パルスを印加することで、残留電界の影響を打ち消し、液晶層を確実にプレーナ相にすることにある。
【０００５】
また、特許文献４には、光導電層（ＯＰＣ）と、反射型表示層を組み合わせた光書き込み型駆動方法において、所定の時間、光導電層を帯電した後に、書き込み光を照射することが開示されている。この特許文献４では、その効果として、交流駆動を用いない簡便な装置においても、予め電界を印加すれば、液晶層にバイアス的な電界を乗ずることになり、ＯＰＣの光疲労が大きいときでも、記録を安定にできる、としている。
【特許文献１】特開平１１−２３７６４４号公報
【特許文献２】特開２０００−１８０８８８公報
【特許文献３】特開２００４−０１２５６９公報
【特許文献４】特開２００４−１１７８０９公報
【発明の開示】
【発明が解決しようとする課題】
【０００６】
本発明は、連続的に光照射による画像書き込み処理、並びに初期化処理を繰り返し行っても、光導電層の電荷蓄積を抑制し、画質劣化をおこすことを防止することができる光書き込み型画像形成装置、光書き込み型画像形成装置用制御装置、光書き込み型表示媒体初期化制御装置を得ることが目的である。
【課題を解決するための手段】
【０００７】
第１の発明は、一対の電極と、前記一対の電極間にかける印加電圧に応じて反射率が変更される表示層と、光照射によって前記表示層の反射率を変化させる電圧調整が可能な光導電層と、を備えた光書き込み型表示媒体を位置決めする位置決め手段と、前記位置決め手段による位置決め状態で、前記表示層が一様の反射率となる初期化を行うために、前記一対の電極間へ初期化交番電圧を印加すると共に、前記光導電層に対して初期化光を照射する表示層初期化手段と、前記表示層初期化手段による初期化交番電圧の印加並びに光照射により前記表示層が一様の反射率となった後に、前記光導電層に対して前記一対の電極間に所定の正極電圧を印加した状態で画像情報に応じた光照射を行って画像を書き込む光書き込み手段と、前記表示層記初期化手段による初期化交番電圧の内、正極電圧印加時のみ光照射を実行し、負極電圧印加時は光照射を実行しない光照射制限手段と、を有することを特徴としている。
【０００８】
上記第１の発明において、前記一対の電極には、第１に前記初期化交番電圧の正極電圧が印加され、第２に前記初期化交番電圧の負極電圧が印加され、第３に光書き込み手段による光照射時に一対の電極に印加される正極電圧が印加されることを特徴としている。
【０００９】
第２の発明は、一対の電極と、前記一対の電極間にかける印加電圧に応じて反射率が変更される表示層と、光照射によって前記表示層の反射率を変化させる電圧調整が可能な光導電層と、を備えた光書き込み型表示媒体を対象として、前記表示層が一様の反射率となる初期化を行うために、前記一対の電極間へ初期化交番電圧を印加すると共に、前記光導電層に対して初期化光を照射する表示層初期化手段と、前記表示層初期化手段による初期化交番電圧の印加並びに光照射により前記表示層が一様の反射率となった後に、前記光導電層に対して前記一対の電極間に所定の正極電圧を印加した状態で画像情報に応じた光照射を行って画像を書き込む光書き込み手段と、前表示層記初期化手段による初期化交番電圧の内、正極電圧印加時のみ光照射を実行し、負極電圧印加時は光照射を実行しない光照射制限手段と、を有することを特徴としている。
【００１０】
上記第２の発明において、前記一対の電極には、第１に前記初期化交番電圧の正極電圧が印加され、第２に前記初期化交番電圧の負極電圧が印加され、第３に光書き込み手段による光照射時に一対の電極に印加される正極電圧が印加されることを特徴としている。
【００１１】
第３の発明は、一対の電極と、前記一対の電極間にかける印加電圧に応じて反射率が変更される表示層と、光照射によって前記表示層の反射率を変化させる電圧調整が可能な光導電層と、を備えた光書き込み型表示媒体を対象として、前記表示層が一様の反射率となる初期化を行うために、前記一対の電極間へ初期化交番電圧を印加すると共に、前記初期化交番電圧の内、正極電圧印加時のみ光照射を実行し、負極電圧印加時は光照射を実行しない光照射制限手段を有することを特徴としている。
【発明の効果】
【００１２】
第１の発明によれば、本構成を有しない場合に比べて、連続的に光照射による画像書き込み処理、並びに初期化処理を繰り返し行っても、光導電層の電荷蓄積を抑制し、画質劣化をおこすことを防止することができるという効果を有する。
【００１３】
また、本構成を有しない場合に比べて、光導電層の電荷蓄積を促進することができる。
【００１４】
第２の発明によれば、本構成を有しない場合に比べて、連続的に光照射による画像書き込み処理、並びに初期化処理を繰り返し行っても、光導電層の電荷蓄積を抑制し、画質劣化をおこすことを防止することができるという効果を有する。
【００１５】
第３の発明によれば、本構成を有しない場合に比べて、連続的に光照射による画像書き込み処理、並びに初期化処理を繰り返し行っても、光導電層の電荷蓄積を抑制し、画質劣化をおこすことを防止することができるという効果を有する。
【発明を実施するための最良の形態】
【００１６】
（表示媒体の物性）
図１は、本実施の形態における光書き込み型の表示媒体１の断面図を示している。表示媒体１は、画像に応じたアドレス光の照射及びバイアス信号（電圧）の印加によって画像を記録することが可能な表示媒体である。
【００１７】
図１に示される如く、表示媒体１は、表示面側から順に、透明基板３、電極５Ａ、５Ｂ、５Ｃ、５Ｄで構成された透明電極５、表示層（液晶層）７、ラミネート層８、着色層（遮光層）９、光導電体層１０、透明電極６および透明基板４が積層されて構成されている。
【００１８】
透明基板３、４は、各機能層を内面に保持し、表示媒体の構造を維持するためのものである。透明基板３、４は、外力に耐える強度を有するシート形状の部材で構成され、表示面側の透明基板３は少なくとも入射光を、書き込み面側の透明基板４は少なくともアドレス光を、それぞれ透過する。
【００１９】
透明基板３、４は、フレキシブル性を有することが好ましい。具体的な材料としては、無機シート（例えばガラス・シリコン）、高分子フィルム（例えばポリエチレンテレフタレート、ポリスルホン、ポリエーテルスルホン、ポリカーボネート、ポリエチレンナフタレート）等を挙げることができる。外表面に、防汚膜、耐磨耗膜、光反射防止膜、ガスバリア膜など公知の機能性膜を形成してもよい。
【００２０】
なお、透明基板３、４は、本実施形態では可視光全域にわたって透過性をもつものであるが、表示させる波長域のみ透過性を有していてもよい。
【００２１】
透明電極５、６は、光記録装置２から印加されたバイアス電圧を、表示媒体１内の各機能層へ印加するためのものである。透明電極５は、本実施の形態では一例として４個の略同一形状（例えば長方形状）の電極５Ａ、５Ｂ、５Ｃ、５Ｄで構成されており、透明電極６は表示媒体１の略全面に相当する面積を有する単一の透明電極で構成されている（図２参照）。
【００２２】
透明電極５、６は、面均一な導電性を有し、表示面側の透明電極５は少なくとも入射光を、書き込み面側の透明電極６は少なくともアドレス光を透過する。具体的には、金属（例えば金、アルミニウム）、金属酸化物（例えば酸化インジウム、酸化スズ、酸化インジウムスズ（ＩＴＯ））、導電性有機高分子（例えばポリチオフェン系・ポリアニリン系）などで形成された導電性薄膜を挙げることができる。表面に、密着力改善膜、光反射防止膜、ガスバリア膜など公知の機能性膜を形成してもよい。
【００２３】
なお、透明電極５、６は、本実施形態では可視光全域にわたって透過性をもつものであるが、表示させる波長域のみ透過性を有していてもよい。
【００２４】
表示層７は、電場によって入射光のうち特定の色光の反射・透過状態を変調する機能を有し、選択した状態が無電場で保持できる性質のものである。表示層７としては、曲げや圧力などの外力に対して変形しない構造であることが好ましい。
【００２５】
本実施の形態では、表示層７は、一例としてコレステリック液晶及び透明樹脂からなる自己保持型液晶複合体の液晶層で構成される。すなわち、複合体として自己保持性を有するためスペーサ等を必要としない液晶層であるが、これに限られるものではない。本実施形態では、図１に示される如く、高分子マトリックス（透明樹脂）１１中にコレステリック液晶１２が分散した状態となっている。
【００２６】
（コレステリック液晶組成）
コレステリック液晶１２は、入射光のうち特定の色光の反射・透過状態を変調する機能を有し、液晶分子がらせん状に捩れて配向しており、らせん軸方向から入射した光のうち、らせんピッチに依存した特定の光を干渉反射する。電場によって配向が変化し、反射状態を変化させることができる。ドロップサイズが均一で、単層稠密に配置されていることが好ましい。
【００２７】
コレステリック液晶１２として使用可能な具体的な液晶としては、ネマチック液晶やスメクチック液晶（例えばシッフ塩基系、アゾ系、アゾキシ系、安息香酸エステル系、ビフェニル系、ターフェニル系、シクロヘキシルカルボン酸エステル系、フェニルシクロヘキサン系、ビフェニルシクロヘキサン系、ピリミジン系、ジオキサン系、シクロヘキシルシクロヘキサンエステル系、シクロヘキシルエタン系、シクロヘキサン系、トラン系、アルケニル系、スチルベン系、縮合多環系）、またはこれらの混合物に、カイラル剤（例えばステロイド系コレステロール誘導体、シッフ塩基系、アゾ系、エステル系、ビフェニル系）を添加したもの等を挙げることができる。
【００２８】
コレステリック液晶の螺旋ピッチは、ネマチック液晶に対するカイラル剤の添加量で調整する。例えば、表示色を青、緑、赤とする場合には、それぞれ選択反射の中心波長が、４００ｎｍ〜５００ｎｍ、５００ｎｍ〜６００ｎｍ、６００ｎｍ〜７００ｎｍの範囲になるようにする。また、コレステリック液晶の螺旋ピッチの温度依存性を補償するために、捩じれ方向が異なる、または逆の温度依存性を示す複数のカイラル剤を添加する公知の手法を用いてもよい。
【００２９】
表示層７がコレステリック液晶１２と高分子マトリックス（透明樹脂）１１からなる自己保持型液晶複合体を形成する形態としては、コレステリック液晶の連続相中に網目状の樹脂を含むＰＮＬＣ（Ｐｏｌｙｍｅｒ Ｎｅｔｗｏｒｋ Ｌｉｑｕｉｄ Ｃｒｙｓｔａｌ）構造や、高分子の骨格中にコレステリック液晶がドロップレット状に分散されたＰＤＬＣ（Ｐｏｌｙｍｅｒ Ｄｉｓｐｅｒｓｅｄ Ｌｉｑｕｉｄ Ｃｒｙｓｔａｌ）構造（マイクロカプセル化されたものを含む）を用いることができ、ＰＮＬＣ構造やＰＤＬＣ構造とすることによって、コレステリック液晶と高分子の界面にアンカリング効果を生じ、無電界でのプレーナ相またはフォーカルコニック相の保持状態を、より安定にすることができる。
【００３０】
ＰＮＬＣ構造やＰＤＬＣ構造は、高分子と液晶とを相分離させる公知の方法、例えば、アクリル系、チオール系、エポキシ系などの、熱や光、電子線などによって重合する高分子前駆体と液晶を混合し、均一相の状態から重合させて相分離させるＰＩＰＳ（Ｐｏｌｙｍｅｒｉｚａｔｉｏｎ Ｉｎｄｕｃｅｄ ＰｈａｓｅＳｅｐａｒａｔｉｏｎ）法、ポリビニルアルコールなどの、液晶の溶解度が低い高分子と液晶とを混合し、攪拌懸濁させて、液晶を高分子中にドロップレット分散させるエマルジョン法、熱可塑性高分子と液晶とを混合し、均一相に加熱した状態から冷却して相分離させるＴＩＰＳ（Ｔｈｅｒｍａｌｌｙ Ｉｎｄｕｃｅｄ Ｐｈａｓｅ Ｓｅｐａｒａｔｉｏｎ）法、高分子と液晶とをクロロホルムなどの溶媒に溶かし、溶媒を蒸発させて高分子と液晶とを相分離させるＳＩＰＳ（Ｓｏｌｖｅｎｔ Ｉｎｄｕｃｅｄ Ｐｈａｓｅ Ｓｅｐａｒａｔｉｏｎ）法などによって形成することができるが、特に限定されるものではない。
【００３１】
（高分子マトリックス１１）
高分子マトリックス１１は、コレステリック液晶１２を保持し、表示媒体の変形による液晶の流動（画像の変化）を抑制する機能を有するものであり、液晶材料に溶解せず、また液晶と相溶しない液体を溶剤とする高分子材料が好適に用いられる。また、高分子マトリックス１１としては、外力に耐える強度をもち、少なくとも反射光およびアドレス光に対して高い透過性を示す材料であることが望まれる。
【００３２】
高分子マトリックス１１として採用可能な材料としては、水溶性高分子材料（例えばゼラチン、ポリビニルアルコール、セルロース誘導体、ポリアクリル酸系ポリマー、エチレンイミン、ポリエチレンオキサイド、ポリアクリルアミド、ポリスチレンスルホン酸塩、ポリアミジン、イソプレン系スルホン酸ポリマー）、あるいは水性エマルジョン化できる材料（例えばフッ素樹脂、シリコーン樹脂、アクリル樹脂、ウレタン樹脂、エポキシ樹脂）等を挙げることができる。
【００３３】
（光導電体層１０）
光導電体層１０は、内部光電効果をもち、アドレス光の照射強度に応じてインピーダンス特性が変化する特性を有する層である。電荷発生層（ＣＧＬ）が電荷輸送層（ＣＴＬ）の上下に積層された３層構造が好適である。本実施形態では、光導電体層１０として、一例として図１における上層から順に上側の電荷発生層１３、電荷輸送層１４および下側の電荷発生層１５が積層されてなる。
【００３４】
（電荷発生層１３，１５）
電荷発生層１３（上ＣＧＬ）、１５（下ＣＧＬ）は、アドレス光を吸収して光キャリアを発生させる機能を有する層である。主に、電荷発生層１５が書き込み面側の透明電極６から表示面側の透明電極５の方向に流れる光キャリア量を左右している。電荷発生層１３、１５としては、アドレス光を吸収して励起子を発生させ、電荷発生層内部、または電荷発生層／電荷輸送層界面で自由キャリアに効率良く分離させられるものが好ましい。
【００３５】
（上ＣＧＬ動作を行わないが、上ＣＧＬがある方が好ましい理由）
ｗ両極性の電圧を印加する場合、光導電層（ＯＰＣ）の構成は、図１に示すように、第１の透明電極の上に第１の電荷発生層（下ＣＧＬ）、電荷輸送層（ＣＴＬ）、第２の電荷発生層（上ＣＧＬ）が積層されたＤｕａｌ  ＣＧＬ構成が望ましく、第２の透明電極の上に表示層が形成されたものを併せて形成されるものがよい。
【００３６】
ｗ正極性の電圧パルス印加時に光照射を行うと、下ＣＧＬで発生した＋電荷が上ＣＧＬの方向に電荷輸送（ＣＴＬ）を移動し電流が流れる。＋電荷のカウンターチャージである−電荷は、第１の電極に流れることにより消失する。次に負極性の電圧パルスを印加すると、再結合・消失しなかった＋電荷は下ＣＧＬの方向に電荷輸送層を移動する。
【００３７】
Ｄｕａｌ  ＣＧＬ構成ではない二層構成ＯＰＣの場合、正負両極性パルスを連続的に記録を繰り返していくと、電荷の蓄積によると思われるバイアス電界で表示特性が劣化する。Ｄｕａｌ  ＣＧＬ構成では、極端な電荷の蓄積が見られない。メカニズムは必ずしも明らかではないが、上ＣＧＬの存在が電荷の再結合・消失を助けているものと推測される。
【００３８】
電荷発生層１３、１５は、電荷発生材料（例えば金属又は無金属フタロシアニン、スクアリウム化合物、アズレニウム化合物、ペリレン顔料、インジゴ顔料、ビスやトリス等アゾ顔料、キナクリドン顔料、ピロロピロール色素、多環キノン顔料、ジブロモアントアントロンなど縮環芳香族系顔料、シアニン色素、キサンテン顔料、ポリビニルカルバゾールとニトロフルオレン等電荷移動錯体、ピリリウム塩染料とポリカーボネート樹脂からなる共昌錯体）を直接成膜する乾式法か、またはこれら電荷発生材料を、高分子バインダー（例えばポリビニルブチラール樹脂、ポリアリレート樹脂、ポリエステル樹脂、フェノール樹脂、ビニルカルバゾール樹脂、ビニルホルマール樹脂、部分変性ビニルアセタール樹脂、カーボネート樹脂、アクリル樹脂、塩化ビニル樹脂、スチレン樹脂、ビニルアセテート樹脂、酢酸ビニル樹脂、シリコーン樹脂等）とともに適当な溶剤に分散ないし溶解させて塗布液を調製し、これを塗布し乾燥させて成膜する湿式塗布法等により形成することができる。
【００３９】
（電荷輸送層１４）
電荷輸送層（ＣＴＬ）１４は、電荷発生層１３、１５で発生した光キャリアが注入されて、バイアス信号で印加された電場方向にドリフトする機能を有する層である。一般に電荷輸送層は、電荷発生層の数１０倍の厚みを有するため、電荷輸送層１４の容量、電荷輸送層１４の暗電流、および電荷輸送層１４内部の光キャリア電流が、光導電体層１０全体の明暗インピーダンスを決定付けている。
【００４０】
電荷輸送層１４は、電荷発生層１３、１５からの自由キャリアの注入が効率良く発生し（電荷発生層１３、１５とイオン化ポテンシャルが近いことが好ましい）、注入された自由キャリアができるだけ高速にホッピング移動するものが好適である。暗時のインピーダンスを高くするため、熱キャリアによる暗電流は低い方が好ましい。
【００４１】
電荷輸送層１４は、低分子の正孔輸送材料（例えばトリニトロフルオレン系化合物、ポリビニルカルバゾール系化合物、オキサジアゾール系化合物、ベンジルアミノ系ヒドラゾンあるいはキノリン系ヒドラゾン等のヒドラゾン系化合物、スチルベン系化合物、トリフェニルアミン系化合物、トリフェニルメタン系化合物、ベンジジン系化合物）、または低分子の電子輸送材料（例えばキノン系化合物、テトラシアノキノジメタン系化合物、フルフレオン化合物、キサントン系化合物、ベンゾフェノン系化合物）を、高分子バインダー（例えばポリカーボネート樹脂、ポリアリレート樹脂、ポリエステル樹脂、ポリイミド樹脂、ポリアミド樹脂、ポリスチレン樹脂、含珪素架橋型樹脂等）とともに適当な溶剤に分散ないし溶解させたもの、あるいは上記正孔輸送材料や電子輸送材料を高分子化した材料を適当な溶剤に分散ないし溶解させたものを調製し、これを塗布し乾燥させて形成すればよい。
【００４２】
（着色層９）
着色層（遮光層）９は、書き込み時にアドレス光と入射光を光学分離し、相互干渉による誤動作を防ぐとともに、表示時に表示媒体の非表示面側から入射する外光と表示画像を光学分離し、画質の劣化を防ぐ目的で設けられる層であり、本実施形態において必須の構成要素ではない。ただし、表示媒体１の性能向上のためには、設けることが望まれる層である。その目的から、着色層９には、少なくとも電荷発生層の吸収波長域の光、および表示層の反射波長域の光を吸収する機能が要求される。
【００４３】
着色層９は、具体的には、無機顔料（例えばカドミウム系、クロム系、コバルト系、マンガン系、カーボン系）、または有機染料や有機顔料（アゾ系、アントラキノン系、インジゴ系、トリフェニルメタン系、ニトロ系、フタロシアニン系、ペリレン系、ピロロピロール系、キナクリドン系、多環キノン系、スクエアリウム系、アズレニウム系、シアニン系、ピリリウム系、アントロン系）を光導電体層１０の電荷発生層１３側の面に直接成膜する乾式法か、あるいはこれらを高分子バインダー（例えばポリビニルアルコール樹脂、ポリアクリル樹脂等）とともに適当な溶剤に分散ないし溶解させて塗布液を調製し、これを塗布し乾燥させて成膜する湿式塗布法等により形成することができる。
【００４４】
（ラミネート層８）
ラミネート層８は、それぞれ上下基板内面に形成した各機能層を貼りあわせる際に、凹凸吸収および接着の役割を果たす目的で設けられる層であり、本実施形態において必須の構成要素ではない。ラミネート層８は、ガラス転移点の低い高分子材料からなるものであり、熱や圧力によって表示層７と着色層９とを密着・接着させることができる材料が選択される。また、少なくとも入射光に対して透過性を有することが条件となる。
【００４５】
ラミネート層８に好適な材料としては、粘着性の高分子材料（例えばウレタン樹脂、エポキシ樹脂、アクリル樹脂、シリコーン樹脂）を挙げることができる。
【００４６】
（表示媒体の等価回路）
図３は、図１に示される構造の表示媒体（液晶デバイス）１の等価回路を示す回路図である。Ｃｌｃ、Ｃｏｐｃ、およびＲｌｃ、Ｒｏｐｃは、それぞれ表示層７および光導電体層１０の静電容量および抵抗値である。ＣｅおよびＲｅは、表示層７および光導電体層１０以外の構成要素の等価静電容量および等価抵抗値である。
【００４７】
表示媒体１の透明電極５−透明電極６間に外部の書き込み装置２から印加される電圧をＶとすると、各構成要素には、各構成要素間のインピーダンス比によって決まる分圧Ｖｌｃ、ＶｏｐｃおよびＶｅが印加される。より具体的には、電圧が印加された直後には各構成要素の容量比で決定される分圧が生じ、時間経過とともに各構成要素の抵抗値比で決定される分圧へと緩和していく。
【００４８】
ここで、アドレス光の強度に応じて光導電体層１０の抵抗値Ｒｏｐｃが変化するため、露光と非露光によって表示層７に印加される実効電圧を制御することができる。露光時には光導電体層１０の抵抗値Ｒｏｐｃが小さくなって表示層７に印加される実効電圧は大きくなり、逆に非露光時には光導電体層１０の抵抗値Ｒｏｐｃが大きくなって表示層７に印加される実効電圧は小さくなる。
【００４９】
（コレステリック液晶の配向特性）
次に、コレステリック液晶（カイラルネマチック液晶）１２について具体的に説明する。コレステリック液晶１２が示すプレーナ相は、螺旋軸に平行に入射した光を右旋光と左旋光に分け、螺旋の捩じれ方向に一致する円偏光成分をブラッグ反射し、残りの光を透過させる選択反射現象を起こす。反射光の中心波長λおよび反射波長幅Δλは、螺旋ピッチをｐ、螺旋軸に直交する平面内の平均屈折率をｎ、複屈折率をΔｎとすると、それぞれ、λ＝ｎ・ｐ、Δλ＝Δｎ・ｐで表され、プレーナ相のコレステリック液晶層による反射光は、螺旋ピッチに依存した鮮やかな色を呈する。
【００５０】
正の誘電率異方性を有するコレステリック液晶は、図４（Ａ）に示すように、螺旋軸がセル表面に垂直になり、入射光に対して上記の選択反射現象を起こすプレーナ相（Ｐ相）、図４（Ｂ）に示すように、螺旋軸がほぼセル表面に平行になり、入射光を少し前方散乱させながら透過させるフォーカルコニック相（Ｆ相）、および図４（Ｃ）に示すように、螺旋構造がほどけて液晶ダイレクタが電界方向を向き、入射光をほぼ完全に透過させるホメオトロピック相（Ｈ相）、の３つの状態を示す。
【００５１】
上記の３つの状態のうち、プレーナ相とフォーカルコニック相は、無電界で双安定に存在することができる。したがって、コレステリック液晶の相状態は、液晶層に印加される電界強度に対して一義的に決まらず、プレーナ相が初期状態の場合には、電界強度の増加に伴って、プレーナ相、フォーカルコニック相、ホメオトロピック相の順に変化し、フォーカルコニック相が初期状態の場合には、電界強度の増加に伴って、フォーカルコニック相、ホメオトロピック相の順に変化する。
【００５２】
一方、液晶層に印加した電界強度を急激にゼロにした場合には、プレーナ相とフォーカルコニック相はそのままの状態を維持し、ホメオトロピック相はプレーナ相に変化する。
【００５３】
したがって、パルス信号を印加した直後のコレステリック液晶層は、図５に示すようなスイッチング挙動を示し、印加されたパルス信号の電圧が、Ｖｆｈ以上のときには、ホメオトロピック相からプレーナ相に変化した選択反射状態となり、ＶｐｆとＶｆｈの間のときには、フォーカルコニック相による透過状態となり、Ｖｐｆ以下のときには、パルス信号印加前の状態を継続した状態、すなわちプレーナ相による選択反射状態またはフォーカルコニック相による透過状態となる。
【００５４】
なお、図４において、縦軸は正規化反射率であり、最大反射率を１００、最小反射率を０として、反射率を正規化している。また、プレーナ相、フォーカルコニック相およびホメオトロピック相の各状態間には、遷移領域が存在するため、正規化反射率が５０以上の場合を選択反射状態、正規化反射率が５０未満の場合を透過状態と定義し、プレーナ相とフォーカルコニック相の相変化のしきい値電圧をＶｐｆとし、フォーカルコニック相とホメオトロピック相の相変化のしきい値電圧をＶｆｈとする。
【００５５】
特に、コレステリック液晶の連続相中に網目状の樹脂を含むＰＮＬＣ（Ｐｏｌｙｍｅｒ  Ｎｅｔｗｏｒｋ  Ｌｉｑｕｉｄ  Ｃｒｙｓｔａｌ）構造や、高分子の骨格中にコレステリック液晶がドロップレット状に分散されたＰＤＬＣ（Ｐｏｌｙｍｅｒ  Ｄｉｓｐｅｒｓｅｄ  Ｌｉｑｕｉｄ  Ｃｒｙｓｔａｌ）構造（マイクロカプセル化されたものを含む）の液晶層においては、コレステリック液晶と高分子の界面における干渉により（アンカリング効果）、プレーナ相とフォーカルコニック相の無電界における双安定性が向上し、長期間に渡ってパルス信号印加直後の状態を保持することができる。
【００５６】
このようなコレステリック液晶１２を用いた表示媒体１では、コレステリック液晶の双安定現象を利用して、（Ａ）プレーナ相による選択反射状態と、（Ｂ）フォーカルコニック相による透過状態とを、スイッチングすることによって、無電界でのメモリー性を有するブラック・ホワイトのモノクロ表示、または無電界でのメモリー性を有するカラー表示を行う。
【００５７】
外部印加電圧の大きさに応じてコレステリック液晶１２は、プレーナ相状態（Ｐ相状態）またはホメオトロピック相状態（Ｈ相状態）を初期状態とした場合にはＰ状態、フォーカルコニック相状態（Ｆ相状態）、Ｈ相状態と変化し、Ｆ状態を初期状態とした場合にはＦ相状態、Ｈ相状態と変化し、その最終状態がＰ相状態およびＦ相状態では、電圧印加を解除した後も維持されるが、Ｈ相状態では、Ｐ相状態に相変化する。従って、露光／非露光に関わらず、印加電圧の大きさにより、最終的な相状態としてＰ相状態ないしＦ相状態が選択される。図５に示すように、Ｐ相状態では光反射、Ｆ相状態では光透過状態となる。
【００５８】
（光書き込み型画像形成装置の構成）
次に、光書き込み型画像形成装置２０について説明する。
【００５９】
図２に示される如く、光書き込み型画像形成装置２０は、光照射によって表示媒体１へ画像を表示させるための装置であり、表示媒体１に対してアドレス光の照射を行う画像書き込み用光源部３２と、この画像書き込み用光源部３２と表示媒体１とが相対移動するように画像書き込み用光源部３２を図２の矢印Ａ方向へ移動させる駆動部２４と、前記画像書き込み用光源部３２を表示媒体１と共に挟むように設けられたリセット用光源部３３と、表示媒体１に印加するバイアス電圧（高圧パルス）を発生させる高圧パルス発生部２６Ａ、２６Ｂから成る電圧印加部２６と、高圧パルス発生部２６Ａ、２６Ｂにより発生したバイアス電圧を印加する電極を切り替える切替部２８と、駆動部２４及び切替部２８を制御する制御部３０と、を備えている。
【００６０】
画像書き込み用光源部３２は、制御部３０からの画像に応じた入力信号に基づくアドレス光パターン（光画像パターン）を表示媒体１（詳しくは、光導電体層１０上）に照射する。
【００６１】
また、リセット用光源部３３は、表示媒体１の表示面に対向するように平板状に構成され、その表示媒体１との対向面が発光面となり、表示媒体１をリセットする。
【００６２】
なお、表示媒体１をリセット（初期化）するとは、具体的には例えばコレステリック液晶１２の液晶の配向を初期化することをいい、例えば一様なＦ相状態又はＰ相状態にすることをいう。この実施の形態では、Ｐ相状態（反射率が高い状態）を初期化状態としている。
【００６３】
画像書き込み用光源部３２により照射されるアドレス光としては、光導電体層１０の吸収波長域内にピーク強度を持ち、できるだけ周波数帯域幅の狭い光であることが望ましい。
【００６４】
また、画像書き込み用光源部３２及びリセット用光源部３３としては、例えば、冷陰極管、キセノンランプ、ハロゲンランプ、発光ダイオード（ＬＥＤ）、ＥＬ、レーザ等の光源を一次元のアレイ状に配置したものや、ポリゴンミラーと組み合せたもの、などが適用可能である。画像書き込み用光源部３２では、走査動作によって任意の二次元発光パターンを形成できるものが用いられる。また、リセット光源３２Ａとしては、例えば上記のような光源をマトリクス状（縦横方向）に配置したものや導光板と組み合せたもの、表示媒体１とほぼ同一面積の平板状等の均一な光を表示媒体１に照射することが可能な光源が用いられる。
【００６５】
高圧パルス発生部２６Ａは、リセット用電圧を発生する回路であり、高圧パルス発生部２６Ｂは、リセット用電圧及び画像書き込み用電圧の双方を発生する回路である。高圧パルス発生部２６Ａ、２６Ｂには、例えばそれぞれが逆極性の電圧を発生する高電圧アンプなどが用いられる。
【００６６】
本実施形態では、図２に示すように表示媒体１の透明電極６は接地されており、高圧パルス発生部２６Ａは、正の極性を有する直流電圧を出力し、高圧パルス発生部２６Ｂは負の極性を有する直流電圧を印加する。これらを組み合わせることで、交番電圧の共有も可能である。
【００６７】
ここで、電極５Ａ、５Ｂ、５Ｃ、５Ｄに対して、接地された透明電極６に印加されるリセット用電圧は、正の極性及び負の極性を有する交番電圧（正極の直流電圧と負極の直流電圧の組み合わせ）としている。
【００６８】
また、電極５Ａ、５Ｂ、５Ｃ、５Ｄに対して、接地された透明電極６に印加される画像書き込み用電圧は、正の極性を有する直流電圧としている。
【００６９】
（リセット光の照射）
ここで、リセット用電圧の電圧値は、リセット用電圧が透明電極間に印加された場合に、表示媒体１をリセット（初期化）することができる電圧値、具体的には、例えばコレステリック液晶１２の液晶の配向を初期化（本実施の形態では、まず、第１のリセット手段として、一様Ｆ相状態の配向とする）することができる電圧値に設定される。第１のリセット手段が、Ｆ状態に初期化するのであれば、図５に示すように、表示層７に印加される電圧（分圧）がＶｐｆより大きくＶｆｈより小さい電圧の範囲内となるような電圧値である。
【００７０】
ここで、本実施の形態では、第２のリセット手段として、上記リセット用電圧の内、正極の直流電圧が印加されているときのみ、リセット用光源部３３によりリセット光を表示媒体１に照射する。言い換えれば、負極の直流電圧が印加されているときは、リセット用光源部３３によりリセット光を表示媒体１に照射しない。
【００７１】
例えば第１の例としては、図６（Ａ）に示される如く、リセット用電圧の印加パターンが、正極電圧→負極電圧印加→正極電圧印加の場合である（リセット光照射手順１）。このリセット光照射手順１では、図６（Ａ）に示される如く、最初の正極電圧印加時と最後の正極電圧印加時とに同期させて、リセット光を照射する。なお、このパターンは複数回繰り返してもよい。
【００７２】
次に、第２の例としては、図８（Ａ）に示される如く、リセット用電圧の印加パターンが、正極電圧→負極電圧印加の場合である（リセット光照射手順２）。このリセット光照射手順２では、図８（Ａ）に示される如く、最初の正極電圧印加時に同期させて、リセット光を照射する。なお、このパターンは複数回繰り返してもよい。
【００７３】
このリセット光照射手順２においては、画像書き込み時の印加電圧（正極電圧）を組み合わせると、正極電圧印加→負極電圧印加→正極電圧印加となり、極性が交互に切り替わることになる。
【００７４】
（負極電圧印加時非照射の原理）
ところで、上記何れか（リセット光源照射手順１又は２）のリセット光の照射により、抵抗分が低くなってリセットする電圧値が高くなる（図５に示す電圧Ｖｆｈを超える電圧となる）。この結果、表示媒体１は、一様にＰ相状態となる。
【００７５】
負極の電圧印加字に光照射を行うと、上ＣＧＬ１３で発生した＋電荷が、下ＣＧＬ１５の方向にＣＴＬ１４を移送し、＋電荷のカウンターチャージである−電荷はＣＧＬ近傍に少しずつ蓄積されていく。
【００７６】
両極性の電圧印加時に光照射を行っていると、初期的には問題はないが、連続的に繰り返し駆動（光書き込み）を行うと、徐々に表示特性が劣化する（反射率が低下する）。
【００７７】
上ＣＧＬ１３、下ＣＧＬ１５の光感度を対称とすることは、初期の電流量をほぼ対称にでき、優れた性能を発揮するが、維持性をより改善するためには、電荷の蓄積を防止する必要がある。
【００７８】
そこで、正極の電圧印加時のみリセット光を照射する（言い換えれば、負極の電圧印加字にはリセット光を照射しない）ことで、電界の発生と消失のバランスが取られることになり、連続繰り返し駆動を行っても表示特性の劣化が改善されることになる。
【００７９】
（画像書き込み）
また、画像書き込み用電圧の電圧値は、少なくとも画像書き込み用光源部３２により画像に応じた画像光が表示媒体１に照射された状態で画像書き込み用電圧が透明電極間に印加された場合に、表示媒体１に画像を記録することができる電圧値に設定される。例えばコレステリック液晶１２の液晶の配向をＰ相状態からＦ相状態へ変更することで画像を書き込むのであれば、画像光が照射された部位の表示層７に印加される電圧（分圧）がＶｐｆより大きくＶｆｈより小さい電圧の範囲内となるような電圧値である。
【００８０】
切替部２８は、制御部３０からの指示に従って、リセット用電圧を印加する電極、画像書き込み用電圧を印加する電極を選択すると共に、リセット用電圧を印加する電極として選択した電極に対しては高圧パルス発生部２６Ａ、２６Ｂから出力されたリセット用電圧を印加すると共に、画像書き込み用電圧を印加する電極として選択した電極に対しては高圧パルス発生部２６Ｂから出力された画像書き込み用電圧を印加する。
【００８１】
駆動部２４は、制御部３０からの指示に従って、画像書き込み用光源部３２を、図２の矢印Ａ方向（副走査方向）へ移動させる。駆動部２４は、例えばパルスモータ等を含んで構成され、パルスモータの駆動によって画像書き込み用光源部３２を図２の矢印Ａ方向へ移動させる。
【００８２】
制御部３０は、所定速度で光照射部３２が図２の矢印Ａ方向へ移動するように駆動部２４に指示すると共に、入力された画像データに基づいて、後述するタイミングでリセット光がリセット光源３２Ａにより表示媒体１に照射されるように且つ入力された画像データに基づく画像光が画像書き込み用光源部３２により表示媒体１に照射されるように各光源を制御すると共に、後述するタイミングで各電極５Ａ〜５Ｃにリセット用電圧及び画像書き込み用電圧が印加されるように切替部２８を制御する。
【００８３】
（画像書き込み中のリセット）
ここで、画像書き込み中（図１１〜図１３では、画像書き込み用光源部３２が電極５Ｃに対応しているとき）に、書き込み中止の指示がなされる場合がある。この書き込み中止指示の際、画像書き込み用光源部３２が、電極５Ｃに位置しているということは、少なくとも上流側の電極（ここでは、電極Ａ、５Ｂとなる）に対応する表示面には画像が表示されている状態である。
【００８４】
ひとつの事象として、書き込み中止の指示があるのは、いち早く表示されている（表示されようとしている）画像を消去する要求があるからであると推測される。しかしながら、画像書き込み用光源部３２による書き込み中は、リセット用光源部３３の表示媒体１への光の照射を妨げる（影になる）。このため、画像書き込み用光源部３２が待機位置に戻った後でなければ、表示媒体１の全ての表示面をリセットすることができず、その分、リセットまでの時間が冗長していた。
【００８５】
そこで、本実施の形態では、現在の画像書き込み用光源部３２の位置を認識し、分割された電極毎に時分割でリセットするようにした。なお、この電極間の時分割でのリセットは、上記事象（書き込み途中の中止指示時）にのみ実行されるものではない。
【００８６】
本実施の形態では、早期の書き込み画像消去の実行手順として、画像書き込み中のリセットの手順１〜３のパターンの何れかを実行する。
【００８７】
例えば、画像書き込み中のリセットの手順１では、画像書き込み用光源部３２が電極５Ｃに対向している場合、この位置で画像書き込み用光源部３２の移動を停止し、まず、上流側の電極５Ａ、５Ｂに対して初期化処理（リセット用電圧印加及びリセット光の照射）を実行した後、画像書き込み用光源部３２を待機位置方向へ戻し（図２の矢印Ａ方向とは反対方向）、電極５Ｃの対向状態から逸脱した時点で、この電極５Ｃに対して初期化処理（リセット用電圧印加及びリセット光の照射）を実行するようにしている（図１１参照）。
【００８８】
また、画像書き込み中のリセットの手順２では、初期化処理を第１段階（リセット電圧印加）と第２段階（リセット電圧印加＋リセット光照射）に分割し、所謂ダークリセットによって早期を表示画像消去を主体としている（図１２参照）。
【００８９】
サラニ、画像書き込み中のリセットの手順３では、書き込み用光源部３２を戻しながら、分割された電極の配列順に初期化処理を実行している（図１３参照）。
【００９０】
以下に本実施の形態の作用を説明する。
【００９１】
（画像書き込み手順）
まず、制御部３０は、リセット用光源部３３に対して、表示媒体１を初期化（一様なＰ相状態）する。このとき、画像書き込み部３２は、画像の書き込み動作を開始する前であり、予め定めた待機位置に配置されている。この待機位置は、表示媒体１の図２の矢印Ａ方向上流側の端部よりもさらに上流側に位置しており、表示媒体１の表示面とは対向されない位置となっている。
【００９２】
表示媒体１の初期化が完了すると、次に、図２の矢印Ａ方向へ画像書き込み部３２が移動開始するように駆動部２４に指示する。画像書き込み部３２は、待機位置から移動を開始して、図２の矢印Ａ方向へ予め定めた移動速度で移動を開始する。
【００９３】
そして、制御部３０は、画像書き込み用光源部３２が電極５Ａにおける図２の矢印Ａ方向上流側の端部に到達するよりも前の時点で、画像書き込み用電圧が電極５Ａに所定時間印加されるように切替部２８に指示する。
【００９４】
これにより、切替部２８は、電極５Ａに対して、高圧パルス発生部２６Ｂから出力された画像書き込み用電圧を電極５Ａに所定時間印加する。
【００９５】
同様に、制御部３０では、画像書き込み用光源部３２が電極５Ｂ、５Ｃ、５Ｄのそれぞれの図２の矢印Ａ方向の上流側端部に到達するよりも前の時点で、画像書き込み用電圧が電極５Ｂ、５Ｃ、５Ｄに所定時間印加されるように切替部２８に指示する。
【００９６】
図１０は、上記制御部３０における画像書き込みの手順を、より詳細に示したフローチャートである。
【００９７】
ステップ１００では、書き込み指示があったか否かが判断される。このステップ１００で否定判定された場合には、このルーチンは終了する。
【００９８】
ステップ１００で肯定判定されると、ステップ１０２へ移行して書き込み用光源部３２が待機位置にあるか否かが判断され、否定判定されると、ステップ１０４へ移行して、当該書き込み用光源部３２を待機位置へ移動した後、ステップ１０２へ移行する。
【００９９】
ステップ１０２で肯定判定されると（書き込み用光源部３２が待機位置にあると判断されると）、ステップ１０６へ移行して、表示媒体１の初期化を指示する。
【０１００】
ステップ１０６の初期化指示があると、例えば、図１１に示す期間Ｔ１、Ｔ１’、Ｔ２、Ｔ２’に基づいて電圧を印加（正極電圧印加→負極電圧印加）すると共に、正極電圧印加期間Ｔ１に同期して、光照射を実行する。なお、負極電圧印加期間Ｔ２では、光照射を実行しない。なお、この電圧印加パターンは、後述するリセット光照射手順２に対応しているが、リセット項照射手順１に対応させてもよい。この初期化により、表示媒体１の表示層７は、Ｐ相状態となる。
【０１０１】
次のステップ１０８では、初期化が終了したか否かが判断され、肯定判定されると、ステップ１１０へ移行して、各電極に対応する表示媒体１毎に順次電圧印加を指示する。
【０１０２】
ステップ１１０の電圧印加指示があると、例えば、走査移動上流側電極（すなわち、電極５Ａ）から下流側電極まで（すなわち、電極５Ｂ→電極５Ｃを経て、電極５Ｄまで）、図１１に示す期間Ｔ３、Ｔ４、Ｔ５、Ｔ６に基づく電圧印加が実行される。この電圧印加により、該当領域の電圧が電圧Ｖｐｆ以上Ｖｆｈ未満となり、表示層７は、Ｆ相状態となる
次のステップ１１２では、書き込み用光源部３２が書き込み位置に到達したか否かが判断され、肯定判定されると、ステップ１１４へ移行して画像書き込み指示がなされる。
【０１０３】
ステップ１１４の画像書き込み指示があると、書き込み用光源部３２により表示媒体１へ画像データに応じた光が照射され、照射された部位の電圧が電圧Ｖｆｈ以上となり、表示層７がＰ相状態となって、表示媒体１に画像が表示（形成）される。
【０１０４】
次のステップ１１６では、画像書き込みが終了したか否かが判断され、肯定判定されると、ステップ１１８へ移行して、書き込み用光源部３２を待機位置へ移動し、このルーチンは終了する。
【０１０５】
（リセット光照射手順１）
本実施の形態では、画像書き込み指示があった場合の最初の表示媒体１の初期化（一様なＰ相状態）に際し、リセット用電圧（Ｖｐｆ以上Ｖｆｈ未満）の印加によってＦ相状態とし、リセット光によって抵抗分を小さくして高電圧（Ｖｆｈ以上）としてＰ相状態としている。
【０１０６】
このとき、図６（Ａ）に示される如く、リセット用電圧として、正極電圧と負極電圧とを組み合わせ、時系列で100msec毎に正極電圧印加（リセットパルス）→負極電圧印加（リセットパルス）→正極電圧印加（書き込みパルス）を実行する。
【０１０７】
また、この一連のリセット用電圧印加における、正極電圧印加に同期して、100msecのリセット光（光量としては、200μw/cm2）を照射する。
【０１０８】
図７は、上記リセット光照射手順２の照射による連続繰り返し駆動回数−反射率変化度合（図７の実線）を示す特性図である。
【０１０９】
この図７において、縦軸は、初期状態での反射率を１．０とした場合の比を示している。また、鎖線の特性図は、図６（Ｂ）に示される如く、リセット用電圧として負極電圧印加→正極電圧印加のパターンとし（それぞれ100msec）、かつこの全てのリセット用電圧印加時にリセット光（光量としては、200μw/cm2）を照射した場合（以下、比較例１という）の特性図である。
【０１１０】
図７によれば、比較例１の場合、連続繰り返し回数が１００回を超えた程度から徐々に反射率が低下していくのに対して、本実施の形態のように、負極のリセット用電圧印加時にリセット光を照射しない場合、反射率の変化度合が少ない（ほとんど、１．０を維持している）ことがわかる。
【０１１１】
（リセット光照射手順２）
次に、リセット光照射手順２について説明する。
【０１１２】
画像書き込み指示があった場合の最初の表示媒体１の初期化（一様なＰ相状態）に際し、リセット用電圧（Ｖｐｆ以上Ｖｆｈ未満）の印加によってＦ相状態とし、リセット光によって抵抗分を小さくして高電圧（Ｖｆｈ以上）としてＰ相状態としている。
【０１１３】
このとき、図８（Ａ）に示される如く、リセット用電圧として、正極電圧と負極電圧とを組み合わせ、時系列で100msec毎に正極電圧印加→負極電圧印加を実行する。
【０１１４】
また、この一連のリセット用電圧印加における、正極電圧印加に同期して、100msecのリセット光（光量としては、200μw/cm2）を照射する。
【０１１５】
図９は、上記リセット光照射手順２の照射による連続繰り返し駆動回数−反射率変化度合（図９の実線）を示す特性図である。
【０１１６】
この図９において、縦軸は、初期状態での反射率を１．０とした場合の比を示している。また、鎖線の特性図は、図８（Ｂ）に示される如く、リセット用電圧として負極電圧印加とし（100msec）、かつこの負極のリセット用電圧印加時にリセット光（光量としては、200μw/cm2）を照射した場合（以下、比較例２という）の特性図である。
【０１１７】
図９によれば、比較例２の場合、連続繰り返し回数が増えるに従い、最初から徐々に反射率が低下していくのに対して、本実施の形態のように、負極のリセット用電圧印加時にリセット光を照射しない場合、反射率の変化度合が少ない（ほとんど、１．０を維持している）ことがわかる。
【０１１８】
（画像書き込み中のリセットの手順１）
図１１は、画像書き込み中（図１１では、画像書き込み用光源部３２が電極５Ｃに対応しているとき）に、書き込み中止があった場合についての、表示媒体１の全面リセット手順１について示したタイミングチャートである。
【０１１９】
まず、全ての電極５Ａ、５Ｂ、５Ｃ、５Ｄ共に、同時に初期化を実行する。初期化に関しては、前述したリセット光照射手順２に準じたパターンを適用している（正極電圧印加＋リセット光照射→負極電圧印加＋リセット光非照射）。なお、正極電圧印加期間Ｔ１と負極電圧印加期間Ｔ２との間に電圧非印加期間Ｔ１’を設定しているが、特にこの期間Ｔ１’は必須ではない。
【０１２０】
また、この画像書き込み中のリセットに関してのみ言えば、負極電圧印加時にもリセット光を照射してもよい。
【０１２１】
上記初期化が完了し、期間Ｔ２’が経過すると、まず、電極５Ａを対象として画像書き込み用電圧を印加する。この画像書き込み電圧印加時間は、Ｔ３＋Ｔ４＋Ｔ５であり、その内、中間の時間帯Ｔ４が電極５Ａに対応する。また、各電極への正極電圧印加終了時に、僅かな期間Ｔ６だけ負極電圧印加を実行している。
【０１２２】
なお、各電極５Ａ、５Ｂ、５Ｃ、５Ｄへの電圧印加タイミングは、各電極５Ａ、５Ｂ、５Ｃ、５Ｄが近接して配置されているため、上流側の電極の期間Ｔ４での正極電圧印加中に電圧印加を開始するように、互いに時間的に重なる印加制御がなされている。
【０１２３】
表１は、電圧印加のそれぞれの期間Ｔ１、Ｔ１’、Ｔ２、Ｔ２’、Ｔ３、Ｔ４、Ｔ５、Ｔ６のそれぞれの期間の標準的な時間と、標準的な電圧を示している。
【０１２４】
【表１】
0005141238.tif 000002
【０１２５】
画像書き込み用光源部３２は、上記画像書き込み電圧印加に同期して動作（図２の矢印Ａ方向）を開始し、画像データに応じた光を照射していく。
【０１２６】
電極５Ａの領域が終了すると、次の電極５Ｂの領域での画像書き込みが継続される。
【０１２７】
ここで、全ての電極５Ａ、５Ｂ、５Ｃ、５Ｄの領域の画像書き込みが終了する以前に、書き込み中止指示があると、まず、画像書き込み用光源部３２の動作を停止する。
【０１２８】
次に、現在の画像書き込み用光源部３２の位置（何れの電極５Ａ、５Ｂ、５Ｃ、５Ｄと対向しているか）を認識する。なお、図１１では、電極５Ｃ上で書き込み中止があったものとする。
【０１２９】
この書き込み中の中止指示では、既に電極５Ａ、５Ｂの領域での書き込みが完了しており、目視可能な状態ということができる。そこで、電極５Ａ、５Ｂを対象として、初期化処理（正極電圧印加＋リセット光照射→負極電圧印加＋リセット光非照射）を実行する。
【０１３０】
この電極５Ａ、５Ｂに対する初期化処理が終了すると、電極５Ａ、５Ｂの領域の画像は消去される。
【０１３１】
次に、画像書き込み用光源部３２を待機位置方向へ戻すように動作を開始する（図２の矢印Ａ方向と反対方向）。この動作において、電極５Ｃから逸脱したことを認識すると、この電極５Ｃに対して初期化処理（正極電圧印加＋リセット光照射→負極電圧印加＋リセット光非照射）を実行する。
【０１３２】
この電極５Ｃに対する初期化処理が終了すると、電極５Ｃの領域の画像は消去される。以上で、書き込み中に中止指示に対する、迅速画像消去が終了する。なお、電極５Ｃの下流側、すなわち、ここでは、電極５Ｄは当然画像が書き込まれる前であるため、初期化処理の必要はない。
【０１３３】
（画像書き込み中のリセットの手順２）
図１２は、画像書き込み中（図１２では、画像書き込み用光源部３２が電極５Ｃに対応しているとき）に、書き込み中止があった場合についての、表示媒体１の全面リセット手順２について示したタイミングチャートである。
【０１３４】
まず、全ての電極５Ａ、５Ｂ、５Ｃ、５Ｄ共に、同時に初期化を実行する。初期化に関しては、前述したリセット光照射手順２に準じたパターンを適用している（正極電圧印加＋リセット光照射→負極電圧印加＋リセット光非照射）。なお、正極電圧印加期間Ｔ１と負極電圧印加期間Ｔ２との間に電圧非印加期間Ｔ１’を設定しているが、特にこの期間Ｔ１’は必須ではない。
【０１３５】
また、この画像書き込み中のリセットに関してのみ言えば、負極電圧印加時にもリセット光を照射してもよい。
【０１３６】
上記初期化が完了し、期間Ｔ２’が経過すると、まず、電極５Ａを対象として画像書き込み用電圧を印加する。この画像書き込み電圧印加時間は、Ｔ３＋Ｔ４＋Ｔ５であり、その内、中間の時間帯Ｔ４が電極５Ａに対応する。また、各電極への正極電圧印加終了時に、僅かな期間Ｔ６だけ負極電圧印加を実行している。なお、各期間での標準的な時間と電圧は、前述の表１と同一である。
【０１３７】
画像書き込み用光源部３２は、上記画像書き込み電圧印加に同期して動作（図２の矢印Ａ方向）を開始し、画像データに応じた光を照射していく。
【０１３８】
電極５Ａの領域が終了すると、次の電極５Ｂの領域での画像書き込みが継続される。
【０１３９】
ここで、全ての電極５Ａ、５Ｂ、５Ｃ、５Ｄの領域の画像書き込みが終了する以前に、書き込み中止指示があると、まず、画像書き込み用光源部３２の動作を停止する。
【０１４０】
次に、現在の画像書き込み用光源部３２の位置（何れの電極５Ａ、５Ｂ、５Ｃ、５Ｄと対向しているか）を認識する。なお、図１２では、電極５Ｃ上で書き込み中止があったものとする。
【０１４１】
この書き込み中の中止指示では、既に電極５Ａ、５Ｂの領域での書き込みが完了しており、電極５Ｃの領域が途中まで書き込みがなされている状態であり、目視可能な状態ということができる。
【０１４２】
そこで、まず、画像書き込み用光源部３２を待機位置方向へ戻すように動作を開始する（図２の矢印Ａ方向と反対方向）。
【０１４３】
この動作と同時に（移動状態を気にすることなく）、電極５Ｂ、５Ｃを対象として、第１段階の初期化処理（負極電圧印加）を実行する。
【０１４４】
なお、この場合、電源構成により、最大同時制御できる電極が２個の場合を想定しており、電極５Ｂ、５Ｃに第１段階の初期化処理を施した後、残りの電極５Ａに対して初期化処理を施す（電極５Ｄはもともと画像書き込みがなされていないので、初期化を省略できる）。
【０１４５】
第１段階の初期化処理では、リセット光を全く使用しない、所謂ダークリセット（Ｆ相状態）であるため、画像書き込み用光源部３２の位置に関係なく、処理することができる。
【０１４６】
前記電極５Ｂ、５Ｃに対する初期化処理が終了し、次いで、電極５Ａのダークリセットを実行すると、この状態で、全ての画像は消去される。
【０１４７】
次に、画像書き込み用光源部３２を待機位置方向へ戻した後、第２段階の初期化処理を実行する。この第２段階の初期化処理は、正極電圧印加＋リセット光照射である。図１３では、最大同時制御できる電極が２個の場合を想定しており、時系列で２個単位の電極を対象として電圧印加を行い（最初に電極５Ａ、５Ｂを対象とし、次に電極５Ｃ、５Ｄを対象とする。）、その期間、リセット光を照射し続ける。
【０１４８】
以上で、書き込み中に中止指示に対する、迅速画像消去が終了する。なお、最大同時制御できる電極が４個であれば、最初から全ての電極５Ａ、５Ｂ、５Ｃ、５Ｄを同時にダークリセット（第１段階初期化処理）し、その後、同時に第２の段階の初期化処理（正極電圧印加＋リセット光照射）を行うようにしてもよい。
【０１４９】
（画像書き込み中のリセットの手順３）
図１３は、画像書き込み中（図１３では、画像書き込み用光源部３２が電極５Ｃに対応しているとき）に、書き込み中止があった場合についての、表示媒体１の全面リセット手順１について示したタイミングチャートである。
【０１５０】
まず、全ての電極５Ａ、５Ｂ、５Ｃ、５Ｄ共に、同時に初期化を実行する。初期化に関しては、前述したリセット光照射手順２に準じたパターンを適用している（正極電圧印加＋リセット光照射→負極電圧印加＋リセット光非照射）。なお、正極電圧印加期間Ｔ１と負極電圧印加期間Ｔ２との間に電圧非印加期間Ｔ１’を設定しているが、特にこの期間Ｔ１’は必須ではない。
【０１５１】
また、この画像書き込み中のリセットに関してのみ言えば、負極電圧印加時にもリセット光を照射してもよい。
【０１５２】
上記初期化が完了し、期間Ｔ２’が経過すると、まず、電極５Ａを対象として画像書き込み用電圧を印加する。この画像書き込み電圧印加時間は、Ｔ３＋Ｔ４＋Ｔ５であり、その内、中間の時間帯Ｔ４が電極５Ａに対応する。また、各電極への正極電圧印加終了時に、僅かな期間Ｔ６だけ負極電圧印加を実行している。なお、各期間での標準的な時間と電圧は、前述の表１と同一である。
【０１５３】
画像書き込み用光源部３２は、上記画像書き込み電圧印加に同期して動作（図２の矢印Ａ方向）を開始し、画像データに応じた光を照射していく。
【０１５４】
電極５Ａの領域が終了すると、次の電極５Ｂの領域での画像書き込みが継続される。
【０１５５】
ここで、全ての電極５Ａ、５Ｂ、５Ｃ、５Ｄの領域の画像書き込みが終了する以前に、書き込み中止指示があると、まず、画像書き込み用光源部３２の動作を停止する。
【０１５６】
次に、現在の画像書き込み用光源部３２の位置（何れの電極５Ａ、５Ｂ、５Ｃ、５Ｄと対向しているか）を認識する。なお、図１３では、電極５Ｃ上で書き込み中止があったものとする。
【０１５７】
この書き込み中の中止指示では、既に電極５Ａ、５Ｂの領域での書き込みが完了しており、電極５Ｃの領域で途中まで書き込みがおわっているため、この領域は目視可能な状態ということができる。
【０１５８】
そこで、まず、画像書き込み用光源部３２を待機位置方向へ戻すように動作を開始する（図２の矢印Ａ方向と反対方向）。この動作において、電極５Ｃから逸脱したことを認識すると、この電極５Ｃに対して初期化処理（正極電圧印加＋リセット光照射→負極電圧印加＋リセット光非照射）を実行する。
【０１５９】
次に、画像書き込み用光源部３２の移動が継続されて、電極５Ｂから逸脱したことを認識すると、この電極５Ｂに対して初期化処理（正極電圧印加＋リセット光照射→負極電圧印加＋リセット光非照射）を実行する。
【０１６０】
さらに、画像書き込み用光源部３２の移動が継続されて、電極５Ａから逸脱したことを認識すると（すなわち、待機位置に到達）、この電極５Ａに対して初期化処理（正極電圧印加＋リセット光照射→負極電圧印加＋リセット光非照射）を実行する。
【０１６１】
この電極５Ａに対する初期化処理が終了すると、電極５Ａ、５Ｂ、５Ｃの領域の画像は消去される。以上で、書き込み中に中止指示に対する、迅速画像消去が終了する。なお、電極５Ｃの下流側、すなわち、ここでは、電極５Ｄは当然画像が書き込まれる前であるため、初期化処理の必要はない。
【０１６２】
なお、本実施形態では、表示層としてコレステリック液晶を用いた場合について説明したが、これに限らず、強誘電性液晶を用いてもよい。
【０１６３】
また、本実施形態では、表示媒体１が固定された状態で画像書き込み用光源部３２を移動させることにより表示媒体１との間で相対移動させる構成としたが、画像書き込み用光源部３２を固定した状態で表示媒体１を移動させたり、両者を移動させたりする構成であってもよい。
【０１６４】
さらに、本実施形態では、電極が４個の場合について説明したが、これに限らず、リセット光源をリセット用電圧が正極のときのみ照射するという概念は、電極が分割される必要はない。また、途中書き込み中止指示があった場合の対応しては、少なくとも２以上の電極があればよい。
【図面の簡単な説明】
【０１６５】
【図１】表示媒体の断面図である。
【図２】画像表示装置の概略構成図である。
【図３】表示媒体の等価回路を示す回路図である。
【図４】コレステリック液晶の分子配向と光学特性の関係を示す模式説明図であり、（Ａ）はプレーナ相、（Ｂ）はフォーカルコニック相、（Ｃ）ホメオトロピック相の各相におけるものである。
【図５】コレステリック液晶のスイッチング挙動を説明するためのグラフである。
【図６】（Ａ）はリセット光照射手順１に係り、初期化時の電圧印加とリセット光照射のパターンを示すタイミングチャート、（Ｂ）はその比較対象である比較例１を示すタイミングチャートである。
【図７】図６におけるリセット光照射手順１と比較例１における連続繰り返し駆動回数−反射率変化度合特性図である。
【図８】（Ａ）はリセット光照射手順２に係り、初期化時の電圧印加とリセット光照射のパターンを示すタイミングチャート、（Ｂ）はその比較対象である比較例２を示すタイミングチャートである。
【図９】図７におけるリセット光照射手順２と比較例２における連続繰り返し駆動回数−反射率変化度合特性図である。
【図１０】制御部における画像書き込みの手順を示したフローチャートである。
【図１１】画像書き込み中のリセットの手順１に係るタイミングチャートである。
【図１２】画像書き込み中のリセットの手順２に係るタイミングチャートである。
【図１３】画像書き込み中のリセットの手順３に係るタイミングチャートである。
【符号の説明】
【０１６６】
１      表示媒体
２      光記録装置
３、４      透明基板
５      透明電極
５Ａ、５Ｂ、５Ｃ、５Ｄ      電極
６      透明電極
７      表示層
８      ラミネート層
９      着色層
１０      光導電体層
１２      コレステリック液晶
２０      光書き込み型画像形成装置（位置決め手段）
２４      駆動部
２６      電圧印加部
２６Ａ      高圧パルス発生部（表示層初期化手段）
２６Ｂ      高圧パルス発生部（表示層初期化手段、光書き込み手段）
２８      切替部
３０      制御部（表示層初期化手段、光書き込み手段、光照射制限手段）
３２      光照射部
３２      画像書き込み用光源部（光書き込み手段）
３３    リセット用光源部（表示層初期化手段）
【図１】
0005141238.tif 000003
【図２】
0005141238.tif 000004
【図３】
0005141238.tif 000005
【図４】
0005141238.tif 000006
【図５】
0005141238.tif 000007
【図６】
0005141238.tif 000008
【図７】
0005141238.tif 000009
【図８】
0005141238.tif 000010
【図９】
0005141238.tif 000011
【図１０】
0005141238.tif 000012
【図１１】
0005141238.tif 000013
【図１２】
0005141238.tif 000014
【図１３】
0005141238.tif 000015